(57)【特許請求の範囲】
【請求項１】
交流電源を用いて作動する掛け時計に、近距離無線通信にて受信し再生するアンプスピーカーを搭載した交流電源式掛け時計であって、時計ケースの外部には、通信機能付音楽再生機器を設けて構成されるものにおいて、
前記時計ケース内に、時計表示部、スピーカー、時計表示駆動回路、音楽を録音し格納した録音音源、および、近距離無線通信からの音楽データを受信して前記スピーカーから当該音源を再生する近距離無線通信制御回路を備え、
前記通信機能付音楽再生機器は、音楽データを近距離無線通信にて前記近距離無線通信制御回路へ送信するものであるとともに、
前記スピーカーの音源再生は、前記録音音源と前記近距離無線通信からの音楽データを択一的に用いて行うものであり、
更に、下記Ａ、Ｂ、および、Ｃ要件を備えることを特徴とする交流電源式掛け時計。
Ａ：前記スピーカーの音源再生は、設定した時刻になされるものであること。
Ｂ：前記スピーカーの音源再生は、前記近距離無線通信からの音楽データを優先して行うものであること。
Ｃ：前記近距離無線通信制御回路にて前記近距離無線通信からの音楽データを受信できないときには、前記録音音源を再生するように設けられていること。
【請求項２】
前記録音音源からの音源データの出力と、前記近距離無線通信制御回路からの音源データの出力とが重畳したときは、前記近距離無線通信制御回路からの音源データの出力を優先して、前記スピーカーの音源再生がなされることを特徴とする請求項１記載の交流電源式掛け時計。
【請求項３】
前記設定した時刻における前記スピーカーの音源再生は、毎正時や、予め設定した時刻になされることを特徴とする請求項１記載の交流電源式掛け時計。
【発明の詳細な説明】
【技術分野】
【０００１】
本発明は、交流電源を用いて作動する掛け時計に、近距離無線通信にて受信し再生するアンプスピーカーを搭載した交流電源式掛け時計に関する。
【背景技術】
【０００２】
交流電源を用いて作動する時計として、例えば、商用交流電源の電源周波数を基準周波数とし、これを用いて時、分、秒の時間信号を得て、時刻を表示する交流電源式時計が知られている（特許文献１、２）。
【０００３】
他方、スピーカー単体のものに、デジタル時計表示機能を搭載したものや、例えばＷＩ−ＦＩなどの近距離無線通信を受信し、これを介して音源再生するスピーカーなどが知られている。
【先行技術文献】
【特許文献】
【０００４】
【特許文献１】実公昭６２−２５７４３号公報
【特許文献２】特開２０１２−８８２０２号公報
【発明の概要】
【発明が解決しようとする課題】
【０００５】
ところが、前記スピーカー単体のものにデジタル時計表示機能を搭載したものは、基本的には単体スピーカーであって、音源再生には外部のプレイヤーから有線で入力しないと作動しないタイプのものである。
【０００６】
このように、一般の掛け時計において、１つの製品で、時計表示機能と、ＷＩ−ＦＩなどの近距離無線通信（Ｂｌｕｅｔｏｏｔｈ：登録商標）を受信しこれを介して音源再生するスピーカーと、交流電源方式とを備え、しかも、壁掛け使用可能又は置き掛け兼用可能なものは従来知られていなかった。
【０００７】
すなわち、近距離無線通信を受信し、これを介して音源再生するスピーカーは、時計機能を保持していないものである。なお、一歩進めて例えば掛け時計に近距離無線通信式スピーカーを設け、これにより近距離無線通信を受信して音源再生するものが店頭で販売されるような場合を検討してみると、購入者あるいは視聴者がスピーカーの音を確認するには、これらの者が近距離無線通信の接続を行う必要があり、そのため容易に視聴することができない、つまりスピーカーの性能を知ることができない不都合があり得るものである。
【０００８】
本発明は、上記事情に鑑みてなされたもので、１つの製品で、時計表示機能と、音源再生するスピーカーと、近距離無線通信方式とを備えて上記不都合を解消することができ、更に、壁掛け使用可能又は置き掛け兼用可能な掛け時計を提案するものである。
【課題を解決するための手段】
【０００９】
本願第１請求項に記載した発明は、交流電源を用いて作動する掛け時計に、近距離無線通信にて受信し再生するアンプスピーカーを搭載した交流電源式掛け時計であって、時計ケースの外部には、通信機能付音楽再生機器を設けて構成されるものにおいて、
前記時計ケース内に、時計表示部、スピーカー、時計表示駆動回路、音楽を録音し格納した録音音源、および、近距離無線通信からの音楽データを受信して前記スピーカーから当該音源を再生する近距離無線通信制御回路を備え、
前記通信機能付音楽再生機器は、音楽データを近距離無線通信にて前記近距離無線通信制御回路へ送信するものであるとともに、
前記スピーカーの音源再生は、前記録音音源と前記近距離無線通信からの音楽データを択一的に用いて行うものであり、
更に、前記スピーカーの音源再生は、設定した時刻になされるものであり、
また、前記スピーカーの音源再生は、前記近距離無線通信からの音楽データを優先して行うものであり、
加えて、前記近距離無線通信制御回路にて前記近距離無線通信からの音楽データを受信できないときには、前記録音音源を再生するように設けられていることを特徴とする交流電源式掛け時計である。
【００１１】
本願第２請求項に記載した発明は、前記録音音源からの音源データの出力と、前記近距離無線通信制御回路からの音源データの出力とが重畳したときは、前記近距離無線通信制御回路からの音源データの出力を優先して、前記スピーカーの音源再生がなされることを特徴とする請求項１記載の交流電源式掛け時計である。
【００１２】
本願第３請求項に記載した発明は、前記設定した時刻における前記スピーカーの音源再生が、毎正時や、予め設定した時刻になされることを特徴とする請求項１記載の交流電源式掛け時計である。
【発明の効果】
【００１３】
本願第１請求項に記載した発明によれば、例えば毎正時や予め設定した時刻に、前記録音音源のものを再生し、あるいはモニタとして適宜再生でき、又は、近距離無線通信を受信して音楽データを再生することができる。
【００１４】
また、本願発明によれば、近距離無線通信を受信できないときは、録音音源のものを再生することができることになる。
【００１５】
更に、本願の交流電源式掛け時計においては、主に近距離無線通信を用いる場合や、これを購入しようとする際に録音音源のものをモニタすることにより、スピーカーの性能を知ることができるという作用効果も奏する。
【図面の簡単な説明】
【００１７】
【図１】本発明の実施例に係り、時計の正面図である。
【図２】本発明の実施例に係り、壁面に時計を取付けた状態を示す正面図である。
【図３】本発明の実施例に係り、壁面に時計を取付けた状態を示す側面図である。
【図４】本発明の実施例に係り、時計を置き使用した状態を示す側面図である。
【図５】本発明の実施例に係り、時計のシステム構成図である。
【図６】本発明の他の実施例に係り、壁面に時計を取付けた状態を示す正面図である。
【発明を実施するための形態】
【００１８】
以下に、本発明の実施例を図面に基づいて説明する。図１において、本例の時計１は中央に時計表示部２が配置され、この時計表示部２の左右に、スピーカー３がそれぞれ配置されている。時計１が掛け時計として用いられる場合は、図２および図３に示すように、ＡＣ電源用コード４の下端にＡＣコネクタ５が設けられる。ＡＣコネクタ５には、図示を省略したＡＣアダプターからの電源用コード４が接続される。
【００１９】
また、時計１が置き使用される場合は、図４に示すように、時計ケース１１の後部に設けられたスタンド部材６を用いて、時計１を支持する。
【００２０】
このように、本例の時計１は、時計ケース１１内に、時計表示部２と、スピーカー３とを設けるとともに、駆動用に交流電源を使用する。また、図５に示すように、スピーカー３は、近距離無線通信を受信して音源再生するものである。更に、時計ケース１１内には、時計表示駆動回路と、近距離無線通信制御回路とを備えるとともに、これらの回路は、それぞれアンプを介してスピーカーに接続されている。
【００２１】
本例では、近距離無線通信にＢｌｕｅｔｏｏｔｈ（登録商標）を用いている。Ｂｌｕｅｔｏｏｔｈは、周知のように、数ｍから数１０ｍ程度の距離の情報機器間で、電波を使用して簡易な情報のやりとりを行うのに使用されるもので、一般に２．４ＧＨｚ帯を７９の周波数チャンネルに分け、利用する周波数をランダムに変える周波数ホッピングを行いながら、情報機器間において最大２４Ｍｂｐｓで無線通信を行うものである。
【００２２】
また、本例では、図５に示すように、時計１に設けた標準時刻受信アンテナにより時刻情報を得て時計表示駆動回路に入力し、これにより時計表示部における針位置を制御して時刻表示を行い、また、当該針位置により正時を判定して、毎正時に録音音源に再生スタート信号を出力し、これを受けて録音音源から音源データを出力し、アンプで増幅してスピーカーから音源再生するようにしている。
【００２３】
更に、時計の外部には近距離無線通信装置たる通信機能付音楽再生機器が用意されており、使用者が予め適宜の音楽を当該音楽再生機器にインプットしておいて、決められた時間あるいは必要に応じて本例の時計との間で無線通信し、これを前記近距離無線通信制御回路で受信して、アンプで増幅してスピーカーから音源再生する。
【００２４】
前記スピーカーの音源再生は、前記録音音源と前記近距離無線通信からの音楽データを択一的に用いて行うこととなる。すなわち、例えば毎正時や予め設定した時刻に前記録音音源のものを再生し、あるいはモニタとして適宜再生でき、又は、近距離無線通信を受信して音楽データを再生することができる。
【００２５】
また、上述した録音音源からの音源データの出力と、前記近距離無線通信制御回路からの音源データの出力とが重畳したときは、近距離無線通信制御回路からの音源データの出力を優先している。なお、近距離無線通信を受信できないときは、録音音源のものを再生することができることになる。
【００２６】
図６は、本発明の他の実施例に係るもので、この例では、壁面に時計１を取付けるにあたり、時計ケース１１とＡＣコネクタ５との間のＡＣ電源用コード４に、コード掛け止め具７を設けている。このコード掛け止め具７は、時計ケース１１とＡＣコネクタ５との間のＡＣ電源用コード４を、適宜且つ任意の壁面固定形状を現出することができるもので、図示を省略したタッピンねじなどを用いて、ＡＣ電源用コード４の固定形状を形成する。
【００２７】
この点、従来におけるＡＣ電源用コードの壁面固定構造によると、通常は上記のようなＡＣコネクタを用いずに、交流電源式掛け時計のＡＣ電源用コードを直接、壁面などのコンセントに接続していたので、ＡＣ電源用コード自体の長さや材質による歪みや弛みによって、外観上の意匠効果に著しい制限があった。つまり、使用者の意図する視覚的な見栄えを反映できないでいた。この場合、使用者の意図する視覚的な見栄えを反映しようとすると、壁面に穴あけして、壁面内部に配線したり、又は、配線モールなどの別部品を用いて配線する必要性があった。
【００２８】
上記のように、ＡＣコネクタ５を用いて、時計ケース１１とＡＣコネクタ５との間のＡＣ電源用コード４に、コード掛け止め具７を設けた場合は、交流電源式掛け時計に必要となるＡＣ電源用コードの配線について、コード掛け止め具７で配線固定ポイントを設けることにより、使用者の独自性を発揮した配線形態を実現することができることになる。また、配線固定ポイントを設けることにより、配線の弛みを解消することができるものである。
【００２９】
以上のように、本例の時計１によれば、時計ケース１１内に、時計表示部２と、スピーカー３が設けられるとともに、時計表示駆動回路、音楽を録音し格納した録音音源、および、近距離無線通信からの音楽データを受信して前記スピーカーから当該音源を再生する近距離無線通信制御回路を備えるので、録音音源と前記近距離無線通信からの音楽データを、スピーカーから択一的に再生可能な掛け時計を得ることができる。また、録音音源からの音源データの出力と、前記近距離無線通信制御回路からの音源データの出力とが重畳したときは、近距離無線通信制御回路からの音源データの出力を優先し、近距離無線通信を受信できないときは、録音音源のものを再生することもできることになる。
【００３０】
本例において、時計１に設けた標準時刻受信アンテナにより時刻情報を得て時計表示駆動回路に入力し、これにより時計表示部における針位置を制御して時刻表示を行い、また、当該針位置により正時を判定するようにしたが、本発明はこれに限られずに、例えば、通信機能付音楽再生機器にスマートフォンなどで標準時刻発信機能を設けたものを用い、こちらから時刻情報を得るようにすることもできる。
【産業上の利用可能性】
【００３１】
本発明の交流電源式掛け時計は、１つの製品で、時計表示機能および録音音源と、近距離無線通信にて音源再生するスピーカーとを備えて、壁掛け使用や置き掛け兼用可能な掛け時計として好適に利用することができるものである。
【符号の説明】
【００３２】
１    時計
２    時計表示部
３    スピーカー
４    ＡＣ電源用コード
５    ＡＣコネクタ
６    スタンド部材
７    コード掛け止め具
１１    時計ケース
【図１】
0006480858.tif 000002
【図２】
0006480858.tif 000003
【図３】
0006480858.tif 000004
【図４】
0006480858.tif 000005
【図５】
0006480858.tif 000006
【図６】
0006480858.tif 000007